【事件の表示】
　特許第３２７０７７２号「毛髪化粧料」の請求項１に係る特許に対する特許異議の申立てについて、次のとおり決定する。
【結　論】
　訂正を認める。
　特許第３２７０７７２号の請求項１に係る特許を維持する。
【理　由】
１．手続の経緯
　特許第３２７０７７２号の請求項１の発明についての出願は、平成４年９月８日に特許出願され、平成１４年１月１８日にその発明について、特許権の設定登録がなされ、その後、その特許について、特許異議申立人ライオン株式会社より特許異議の申立てがなされ、取消しの理由が通知され、その指定期間内である平成１５年２月２４日に訂正請求がなされたものである。
　
２．訂正に適否についての判断
（１）訂正の内容
　特許権者が求めている訂正の内容は、以下のとおりである。
ａ．特許請求の範囲の請求項１中の「（Ｃ）一般式（１）で示される繰り返し単位を１００〜２００００有する両性ポリマー」を、「（Ｃ）一般式（１）で示される繰り返し単位が１００〜２００００のホモポリマーからなる両性ポリマー」と訂正する。
ｂ．発明の詳細な説明の段落【０００６】中の「（Ｃ）一般式（１）で示される繰り返し単位を１００〜２００００有する両性ポリマー」を、「（Ｃ）一般式（１）で示される繰り返し単位が１００〜２００００のホモポリマーからなる両性ポリマー」と訂正する。
ｃ．発明の詳細な説明の段落【０００７】を削除する。
ｄ．発明の詳細な説明の段落【０００８】中の「（式中、Ｒ１は水素原子又はメチル基を示し、Ｒ２及びＲ３は炭素数１〜４のアルキレン基を示し、Ａ１は酸素原子又はＮＨを示す）」を削除する。
ｅ．発明の詳細な説明の段落【０００８】中の「（ｂ）」を、「また、本発明は更に任意成分として」と訂正する。
ｆ．発明の詳細な説明の段落【０００２３】中の「該両性ポリマーは、全体として両性ポリマーとなるものであれば、他の繰り返し単位を含んでいてもよい。また両性ポリマーの両末端は水素原子又は（メタ）アクリレート残基であるのが好ましい。」を削除する。
　
（２）訂正の目的の適否、新規事項の有無及び拡張・変更の存否
ａ．訂正事項ａについて
　訂正事項ａは、発明の構成に欠くことができない事項である（Ｃ）成分の両性ポリマーを、これに含まれる事項である一般式（１）で示される繰り返し単位からなるホモポリマーに減縮するものであり、しかも、一般式（１）で示される繰り返し単位からなるホモポリマーについては、願書に添付した明細書の段落【００２３】に記載されているから、特許請求の範囲の減縮を目的とした明細書の訂正に該当し、願書に添付した明細書に記載した事項の範囲内であり、実質上特許請求の範囲を拡張又は変更するものではない。
ｂ．訂正事項ｂ、ｅ及びｆについて
　訂正事項ｂ、ｅ及びｆは、訂正事項ａと整合性を図るものであるから、明りょうでない記載の釈明を目的とした明細書の訂正に該当し、願書に添付した明細書に記載した事項の範囲内であり、実質上特許請求の範囲を拡張又は変更するものではない。
ｃ．訂正事項ｃ及びｄについて
　訂正事項ｃ及びｄは、これらの記載が願書に添付した明細書の段落【０００６】の記載と重複しているので、その解消を図るものであるから、明りょうでない記載の釈明を目的とした明細書の訂正に該当し、願書に添付した明細書に記載した事項の範囲内であり、実質上特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）申立ての理由の概要
　特許異議申立人ライオン株式会社は、特許第３２７０７７２号の請求項１の発明は、甲第１号証（特開平３−３５０９９号公報）に記載された発明であるから、特許法第２９条第１項第３号に規定する発明に該当し、本件発明に係る特許を取り消すべきと主張している。
　
（２）本件の請求項１の発明
　上記２．で示したように訂正が認められるから、本件の請求項１の発明（以下、「本件発明」という。）は、訂正明細書の特許請求の範囲の請求項１に記載された下記のとおりのものである。
　
「次の成分（Ａ）〜（Ｃ）：
（Ａ）アニオン性界面活性剤及び両性界面活性剤から選ばれる１種又は２種以上の界面活性剤　　　　　　　　　　　　　　　　２〜４０重量％
（Ｂ）不溶性不揮発性シリコーン類　　　　　０．０１〜１０重量％
（Ｃ）一般式（１）で示される繰り返し単位が１００〜２００００のホモポリマーからなる両性ポリマー　　　　　　　　　０．０１〜５重量％
　
　（１）
　
（式中、Ｒ１は水素原子又はメチル基を示し、Ｒ２及びＲ３は炭素数１〜４のアルキレン基を示し、Ａ１は酸素原子又はＮＨを示す）
を含有する毛髪化粧料。」
　
（３）甲第１号証記載の発明
　甲第１号証には、「界面活性剤と、下記式（Ｉ）
　
　で表されるシリコーン油と、下記式（ＩＩ）
　
（式中Ｒ１及びＲ３はそれぞれ水素原子又はメチル基、Ｒ２は炭素数１〜１８のアルキル基、Ｒ４及びＲ６はそれぞれ炭素数１〜４のアルキレン基、Ｒ５は水素原子、メチル基又はエチル基、Ｐ／Ｑはモル比として１／９〜８／２である。）
で表される平均分子量２万〜１００万のポリマーとを含有し、上記シリコーン油が乳化分散されていることを特徴とする液体洗浄剤組成物。」（特許請求の範囲請求項１）が記載されている。
　
（４）対比・判断
　そこで、本件発明と甲第１号証に記載の発明とを対比すると、後者は、本件発明の構成に欠くことのできない事項である（Ｃ）成分（一般式（１）で示される繰り返し単位が１００〜２００００のホモポリマーからなる両性ポリマー）を備えていない。
　したがって、本件発明は、甲第１号証に記載の発明ではない。
　また、取消理由通知の理由２）で示した理由でも、本件特許を取り消すことができない理由は次のとおりである。
　甲第１号証に記載の発明が、本件発明の構成に欠くことのできない事項を備えていない点は上記のとおりである。そして、当該事項により、本件発明の毛髪化粧料は、髪の柔らかさ、指通り、まとまり性について、顕著な効果を奏するものであるから（意見書第５頁表１参照）、本件発明が甲第１号証に記載の発明から容易に発明をすることができたものとはいえない。
　
（５）むすび
　以上のとおりであるから、特許異議申立ての理由及び証拠によっては本件発明に係る特許を取り消すことはできない。
　また、他に本件発明に係る特許を取り消すべき理由を発見しない。
　よって、結論のとおり決定する。
【異議決定日】
平成１５年５月１日（２００３．５．１）
【訂正の要旨】
　ａ．特許明細書中の「請求項１…（Ｃ）一般式（１）で示される繰り返し単位
を
有する
が
のホモポリマーからなる
　ｂ．特許明細書中の段落「０００６」の第４パラグラフの「（Ｃ）一般式（１）で示される繰り返し単位
を
有する
が
のホモポリマーからなる
　ｃ．特許明細書中の段落「０００７」を削除する。
　ｄ．特許明細書中の段落「０００８」の第１パラグラフの「（式中、Ｒ１は水素原子又はメチル基を示し、Ｒ２及びＲ３は炭素数１〜４のアルキレン基を示し、Ａ１は酸素原子又はＮＨを示す）」を削除する。
　ｅ．特許明細書中の段落「０００８」の第２パラグラフの「（ｂ）」を「
また、本発明は更に任意成分として
　ｆ．特許明細書中の段落「００２３」の第３パラグラフの「該両性ポリマーは、全体として両性ポリマーとなるものであれば、他の繰り返し単位を含んでいてもよい。また両性ポリマーの両末端は水素原子又は（メタ）アクリレート残基であるのが好ましい。」を削除する。
（５４）【発明の名称】
毛髪化粧料
（５７）【特許請求の範囲】
　【請求項１】　次の成分（Ａ）〜（Ｃ）：
（Ａ）アニオン性界面活性剤及び両性界面活性剤から選ばれる１種又は２種以上の界面活性剤
　　　　　　　　　　　　　　　　　　　　　　　　　　　　　２〜４０重量％
（Ｂ）不溶性不揮発性シリコーン類　　　　　　　　　　０．０１〜１０重量％
（Ｃ）一般式（１）で示される繰り返し単位が１００〜２００００のホモポリマーからなる両性ポリマー
　　　　　　　　　　　　　　　　　　　　　　　　　　　０．０１〜５重量％
　【化１】
（式中、Ｒ１は水素原子又はメチル基を示し、Ｒ２及びＲ３は炭素数１〜４のアルキレン基を示し、Ａ１は酸素原子又はＮＨを示す）
を含有する毛髪化粧料。
【発明の詳細な説明】
　【０００１】
　【産業上の利用分野】
　本発明は、コンディショニング効果及び整髪効果に優れた毛髪化粧料に関し、さらに詳しくは、高起泡性で洗浄性に優れ、乾燥後の髪の軟らかさ、くし通り易さ等のコンディショニング効果、髪のパサツキ、髪のまとまり易さ等の整髪効果に優れた毛髪化粧料に関する。
　【０００２】
　【従来の技術及び発明が解決しようとする課題】
　近年、消費者の価値観が多様化し、数多くの機能を有する毛髪化粧料が求められており、例えば乾燥後のくし通りやすさや髪の感触の良さ等のコンディショニング効果、及び髪のパサツキ、髪のまとまりやすさ等の整髪効果などを有する毛髪化粧料が市販されている。しかしながら、これらはコンディショニング効果及び整髪効果を同時に充分満足できるものではなかった。
　【０００３】
　特に、シャンプーの場合、最近ではシャンプー頻度の増加等により、頭髪及び頭皮を洗浄してこれらを清潔にするというシャンプー本来の目的に加え、１度の洗髪で洗浄効果と柔らかさ、くし通りやすさ等の仕上がり性能を同時に得ることができ、さらに、毛髪をドライヤー等の熱により乾燥して仕上げると毛髪がパサツクなどの損傷が生ずるため、自然乾燥においてもヘアスタイルが保持できる、パサツキがなく、毛髪のまとまり性に優れたシャンプーが望まれており、コンディショニング剤としてカチオンポリマーやシリコーン油等を配合せしめたものが市販されている。しかしながら、いずれのシャンプーも、コンディショニング効果と整髪効果に充分満足できるものではなかった。
　【０００４】
　従って、コンディショニング効果及び整髪効果を同時に充分満足できる毛髪化粧料が望まれていた。
　【０００５】
　【課題を解決するための手段】
　かかる実情において、本発明者らは鋭意研究を行った結果、界面活性剤、不溶性不揮発性シリコーン類及び特定のポリマーを組合わせて用いれば、コンディショニング効果及び整髪効果に優れた毛髪化粧料が得られることを見出し、本発明を完成した。
　【０００６】
　すなわち、本発明は、次の成分（Ａ）〜（Ｃ）：
（Ａ）アニオン性界面活性剤及び両性界面活性剤から選ばれる１種又は２種以上の界面活性剤
　　　　　　　　　　　　　　　　　　　　　　　　　　　　　２〜４０重量％
（Ｂ）不溶性不揮発性シリコーン類　　　　　　　　　　０．０１〜１０重量％
（Ｃ）一般式（１）で示される繰り返し単位が１００〜２００００のホモポリマーからなる両性ポリマー
　　　　　　　　　　　　　　　　　　　　　　　　　　　０．０１〜５重量％
　【０００７】
　【化２】
（式中、Ｒ１は水素原子又はメチル基を示し、Ｒ２及びＲ３は炭素数１〜４のアルキレン基を示し、Ａ１は酸素原子又はＮＨを示す）
を含有する毛髪化粧料を提供するものである。
　【０００８】
　また、本発明は更に任意成分として一般式（２）で示される四級化された繰り返し単位５〜４０モル％、一般式（３）で示される両性化された繰り返し単位４０〜９０モル％、及び一般式（４）で示される繰り返し単位５〜４０モル％からなるカチオン／両性ポリマー
　【０００９】
　【化３】
　【００１０】
〔式中、Ｒ４及びＲ７は水素原子又はメチル基を示し、Ｒ５、Ｒ８及びＲ９は炭素数１〜４のアルキレン基を示し、Ｒ６は炭素数１〜４のアルキル基、ベンジル基、２−ヒドロキシエチル基、２，３−エポキシプロピル基、２−ヒドロキシプロピル基又は次式
　【００１１】
　【化４】
　【００１２】
（式中、ｎは１〜９の整数を示す）
　【００１３】
で表わされる基を示し、Ａ２及びＡ３は酸素原子又はＮＨを示し、Ｘはハロゲン原子又はアルキル硫酸残基を示す〕
を含有する毛髪化粧料を提供するものである。
　【００１４】
　本発明において、（Ａ）成分として用いられる界面活性剤はアニオン性界面活性剤及び両性界面活性剤から選ばれるものであり、例えば以下のものが挙げられる。
　【００１５】
　アニオン性界面活性剤：
（１）平均炭素数１０〜１６のアルキル基を有する直鎖又は分岐鎖アルキルベンゼンスルホン酸塩。
（２）平均炭素数１０〜２０の直鎖又は分岐鎖のアルキル基又はアルケニル基を有し、１分子内に平均０．５〜８モルのエチレンオキサイド、プロピレンオキサイド、ブチレンオキサイド、エチレンオキサイドとプロピレンオキサイドが０．１／９．９〜９．９／０．１の比で、あるいはエチレンオキサイドとブチレンオキサイドが０．１／９．９〜９．９／０．１の比で付加したアルキル又はアルケニルエーテル硫酸塩。
（３）平均炭素数１０〜２０のアルキル基又はアルケニル基を有するアルキル又はアルケニル硫酸塩。
（４）平均１０〜２０の炭素原子を１分子中に有するオレフィンスルホン酸塩。
（５）平均１０〜２０の炭素原子を１分子中に有するアルカンスルホン酸塩。
（６）平均１０〜２４の炭素原子を１分子中に有する飽和又は不飽和脂肪酸塩。
　【００１６】
（７）平均炭素数１０〜２０のアルキル基又はアルケニル基を有し、１分子中に平均０．５〜８モルのエチレンオキサイド、プロピレンオキサイド、ブチレンオキサイド、エチレンオキサイドとプロピレンオキサイドが０．１／９．９〜９．９／０．１の比で、あるいはエチレンオキサイドとブチレンオキサイドが０．１／９．９〜９．９／０．１の比で付加したアルキル又はアルケニルエーテルカルボン酸塩。
（８）平均炭素数１０〜２０のアルキル基又はアルケニル基を有するα−スルホ脂肪酸塩又はエステル。
（９）炭素数８〜２４のアシル基、及び遊離カルボン酸残基を有するＮ−アシルアミノ酸型界面活性剤。
（１０）炭素数８〜２４のアルキル基又はアルケニル基を有するリン酸モノ又はジエステル型界面活性剤。
（１１）炭素数８〜２２の高級アルコール若しくはそのエトキシレートなどのスルホコハク酸エステル又は高級脂肪酸アミド由来のスルホコハク酸エステル。
　【００１７】
　両性界面活性剤：
（１２）炭素数８〜２４のアルキル基、アルケニル基又はアシル基を有するα位付加型、２級アミド、又は３級アミド型のイミダゾリン系両性界面活性剤。
（１３）炭素数８〜２４のアルキル基、アルケニル基又はアシル基を有するカルボベタイン系、アミドベタイン系、スルホベタイン系、ヒドロキシスルボベタイン系、又はアミドスルホベタイン系両性界面活性剤。
　【００１８】
　これらの界面活性剤のアニオン性残基の対イオンとしては、ナトリウム、カリウム等のアルカリ金属イオン、カルシウム、マグネシウム等のアルカリ土類金属イオン、アンモニウムイオン、炭素数２又は３のアルカノール基を１〜３個有するアルカノールアミン（例えばモノエタノールアミン、ジエタノールアミン、トリエタノールアミン、トリイソプロパノールアミンなど）を挙げることができる。またカチオン性残基の対イオンとしては、塩素、臭素、沃素等のハロゲンイオン及びメトサルフェート、サッカリネートイオンを挙げることができる。
　【００１９】
　これらの界面活性剤のうち、特に（２）アルキルエーテル硫酸塩、（３）アルキル硫酸塩、（６）飽和又は不飽和脂肪酸塩、（９）アシル化アミノ酸、（１０）リン酸モノエステル型界面活性剤、（１１）スルホコハク酸エステル、（１２）２級アミド型イミダゾリン系両性界面活性剤、特に脱塩してポリマーの溶解性を向上させたアミドアミノ酸型両性界面活性剤（特開昭６３−１２８１００号）が主活性剤として好ましい。好適な例としては、ポリオキシエチレンラウリルエーテル硫酸ナトリウム（エチレンオキサイド平均２〜３モル付加）、ラウリル硫酸トリエタノールアミン、ヤシ油脂肪酸のナトリウム塩、ヤシ油脂肪酸アマイドエーテルサルフェート、ラウロイル−Ｎ−メチルタウリン、ラウロイル−Ｎ−メチル−β−アラニン、ポリオキシエチレンスルホコハク酸ラウリルジナトリウム（３〜７Ｅ．Ｏ．）、ラウリルリン酸、Ｎ−ラウロイル−Ｎ′−カルボキシメチル−Ｎ′−（２−ヒドロキシエチル）エチレンジアミントリエタノールアミン塩、Ｎ−ラウロイル−Ｎ−（２−ヒドロキシエチル）−Ｎ′，Ｎ′−ビス（カルボキシメチル）エチレンジアミンナトリウム塩等が挙げられる。
　【００２０】
　これらの界面活性剤は、１種又は２種以上を組合わせて用いることができ、全組成中に２〜４０重量％（以下、単に％で示す）、好ましくは１０〜３０％配合される。特に、シャンプーの場合には１０〜３０％配合するのが好ましい。
　【００２１】
　本発明の（Ｂ）成分である不溶性不揮発性シリコーン類としては、例えばジメチルポリシロキサン、メチルフェニルポリシロキサン等が挙げられる。これらシリコーン類は１種又は２種以上を組合わせて用いることができ、全組成中に０．０１〜１０％、好ましくは０．５〜８％、特に好ましくは１〜５％配合される。０．０１％未満では優れたコンディショニング効果が得られず、１０％を超えると起泡性が低下し、また毛髪のゴワつきが生じる場合があるので好ましくない。
　【００２２】
　また、これらのシリコーン類は、コンディショニング性付与の観点から、２５℃における粘度が５〜２０００００００センチストークス、特に５０００〜１５００００００センチストークス、さらに１００００〜１５００００００センチストークスであるのが好ましく、混合後の粘度がこの範囲内であれば、種々の粘度のシリコーン類を混合して用いることもできる。粘度が５センチストークス未満の揮発性のものでは、好ましい感触が得難く、２０００００００センチストークスを超える高粘度のものは、取り扱いが困難であり、また繰り返し使用により毛髪に蓄積して髪のまとまりが悪化して好ましくない。なお、これらシリコーン類の粘度は、化粧品原料基準第２版一般試験法、粘度測定法第２法によって２５℃においてブルックフィールド回転粘度計を用いて測定した値である。
　【００２３】
　本発明の（Ｃ）成分として両性ポリマーを含むが、任意にカチオン／両性ポリマーを含んでもよい。
　両性ポリマーは、前記一般式（１）で示される繰り返し単位を１００〜２００００有するものであり、式中、Ｒ１としてメチル基、Ｒ２としてエチレン基、Ｒ３としてメチレン基、Ａ１として酸素原子のものが好ましい。かかる両性ポリマーとしては、プラスサイズＬ−４０１（互応化学工業社製）などの市販品を使用することができる。
　【００２４】
　また、成分（Ｃ）として任意に用いることができるカチオン／両性ポリマーは、例えば特開平４−９５０１７号公報に記載の方法に従って製造することができ、またプラスサイズＬ−４５０（互応化学工業社製）などの市販品を使用することもできる。
　【００２５】
　（Ｃ）成分としては、両性ポリマーの１種又は２種以上を用いることができ、全組成中に０．０１〜５％、好ましくは０．０５〜３％、特に好ましくは０．１〜１％配合される。０．０１％未満では充分なコンディショニング効果が得られず、５％を超えると毛髪のゴワつきが生じ、優れた仕上がり性能が得られない場合があるので好ましくない。
　【００２６】
　さらに、本発明の毛髪化粧料には、前記必須成分以外に、通常の毛髪化粧料に用いられる成分、例えば非イオン性界面活性剤、アルキルアミンオキサイド、脂肪酸アルカノールアミド等の増泡剤；スクワレン、ラノリン、カチオン性ポリマー、カチオン性界面活性剤等の感触向上剤；プロピレングリコール、グリセリン、グルコース、ソルビトール、ジエチレングリコールモノエチルエーテル等の保湿剤；メチルセルロース、カルボキシビニルポリマー、ヒドロキシエチルセルロース、ポリオキシエチレングリコールジステアレート、エタノール等の粘度調整剤；エチレングリコールモノステアレート、エチレングリコールジステアレート等のパール化剤；香料、色素、紫外線吸収剤、酸化防止剤；トリクロサン、トリクロロカルバン等の殺菌剤；グリチルリチン酸カリウム、酢酸トコフェロール等の抗炎症剤；ジンクピリチオン、ヒドロキシピロリドン誘導体等の抗フケ剤；メチルパラベン、ブチルパラベン等の防腐剤などを本発明の効果を損なわない範囲で適宜添加することができる。
　【００２７】
　本発明の毛髪化粧料は、通常の方法に従って製造することができ、例えばシャンプー、ヘアリンス、コンディショナー、トリートメントなどとして適用することができる。
　【００２８】
　【発明の効果】
　本発明の毛髪化粧料は、毛髪の柔らかさ、くし通りやすさ等のコンディショニング効果及び髪のパサツキがなくまとまりやすい等の整髪効果に優れたものである。特にシャンプー組成物とした場合には、毎日洗髪する人のデイリーシャンプー、髪の傷んでいる人やくせ毛等のまとまりが悪い人のためのシャンプーとして極めて有用である。
　【００２９】
　【実施例】
　次に、実施例を挙げて本発明をさらに説明するが、本発明はこれら実施例に限定されるものではない。
　【００３０】
実施例１
　表２及び表３に示す組成のシャンプー組成物を常法により製造し、髪の柔らかさ、指通り及びまとまり性について評価した。結果を表２及び表３に示す。
（評価方法）
　健常な日本人女性の毛髪２０ｇ（長さ１５ｃｍ）を束ね、この毛髪束にシャンプー１ｇを塗布して１分間泡立てた後、３０秒間流水ですすぎ、次いでタオルドライを行った。さらにドライヤーで乾燥させ、乾燥状態での髪の柔らかさ、指通り及びまとまり性に関して以下の基準により官能評価した。
　【００３１】
　【表１】
（評価基準）
　髪の柔らかさ；
　　○：髪が柔らかくしなやか
　　△：髪がやや柔らかい
　　×：髪が柔らかくない
　指通り；
　　○：指通りが良く滑らか
　　△：指通りがやや良い
　　×：指通りが悪い
　まとまり性；
　　○：髪のまとまりが良い
　　△：髪のまとまりがやや良い
　　×：髪のまとまりが悪い
　【００３２】
　【表２】
　【００３３】
　【表３】
　【００３４】
実施例２
　表４及び表５に示す組成のシャンプー組成物を常法により製造し、実施例１と同様にして、髪の柔らかさ、指通り及びまとまり性について評価した。結果を表４及び表５に示す。
　【００３５】
　【表４】
　【００３６】
　【表５】
　【００３７】
実施例３
　次に示す組成のシャンプー組成物を常法により製造した。
　得られたシャンプー組成物は、コンディショニング効果及び整髪効果に優れたものであった。
　【００３８】
　【表６】
（成分）　　　　　　　　　　　　　　　　　　　　　　　　　　　　　（％）
　　ポリオキシエチレン（２．５）ラウリルエーテル硫酸トリエタノールアミン
　　　　　　　　　　　　　　　　　　　　　　　　　　　　　　　　１２
　　Ｎ−ラウロイル−Ｎ′−カルボキシメチル−Ｎ′−（２−ヒドロキシエチル）エチレンジアミントリエタノールアミン
　　　　　　　　　　　　　　　　　　　　　　　　　　　　　　　　　８
　　ラウリルジメチルアミンオキサイド　　　　　　　　　　　　　　　１
　　ラウリン酸ジエタノールアミド　　　　　　　　　　　　　　　　　３
　　ジメチルポリシロキサン（１，０００，０００ｃｓ）　　　　　　　１
　　両性ポリマー（プラスサイズＬ−４０１）　　　　　　　　　　　　０．３
　　カチオン／両性ポリマー（プラスサイズＬ−４５０）　　　　　　　０．２
　　エチレングリコールジステアレート　　　　　　　　　　　　　　　２
　　メチルセルロース　　　　　　　　　　　　　　　　　　　　　　　０．５
　　香料、色素　　　　　　　　　　　　　　　　　　　　　　　　　　適量
　　精製水　　　　　　　　　　　　　　　　　　　　　　　　　　　バランス
　【００３９】
実施例４
　次に示す組成の抗フケシャンプー組成物を常法により製造した。
　得られた抗フケシャンプー組成物は、抗フケ効果、コンディショニング効果及び整髪効果に優れたものであった。
　【００４０】
　【表７】
（成分）　　　　　　　　　　　　　　　　　　　　　　　　　　　　　（％）
　　ポリオキシエチレン（２．５）ラウリルエーテル硫酸ナトリウム　２０
　　Ｎ−ラウロイル−Ｎ−（２−ヒドロキシエチル）−Ｎ′，Ｎ′−ビス（カルボキシエチル）エチレンジアミンナトリウム
　　　　　　　　　　　　　　　　　　　　　　　　　　　　　　　　　５
　　ラウリン酸　　　　　　　　　　　　　　　　　　　　　　　　　　１
　　ラウリン酸ジエタノールアミド　　　　　　　　　　　　　　　　　３
　　ジメチルポリシロキサン（１０，０００，０００ｃｓ）　　　　　　３
　　両性ポリマー（プラスサイズＬ−４０１）　　　　　　　　　　　　０．１
　　カチオン／両性ポリマー（プラスサイズＬ−４５０）　　　　　　　０．５
　　エチレングリコールジステアレート　　　　　　　　　　　　　　　２
　　ピラクトンオーラミン（オクトピロックス）　　　　　　　　　　　０．５
　　香料、色素　　　　　　　　　　　　　　　　　　　　　　　　　　適量
　　精製水　　　　　　　　　　　　　　　　　　　　　　　　　　　バランス
　【００４１】
実施例５
　次に示す組成のヘアリンスを常法により製造した。
　得られたヘアリンスは、コンディショニング効果及び整髪効果に優れたものであった。